(57)【要約】【課題】ＯＣＢモード液晶における転移電圧，信頼性及び駆動マージンが改善された液晶表示装置を提供する。【解決手段】本発明によれば，第１電極１０２が形成された下部基板１０１と，下部基板１０１と対向し，第２電極１１２が形成された上部基板１１１と，第１電極１０２及び第２電極１１２との間に充填され，複屈折率が０．１６０〜０．１８０である液晶層１２１とを含んで構成された，ＯＣＢモードの液晶表示装置が提供される。本発明に係る液晶表示装置は，液晶の複屈折率，誘電率異方性，Ｋ１１，Ｋ３３及び粘度が最適化されたことにより，転移電圧，信頼性及び駆動マージンが改善される。【選択図】図１
2006309137.tif 000002
【特許請求の範囲】
【請求項１】
第１電極が形成された下部基板と；
前記下部基板と対向して配置され，前記第１電極と相対する第２電極が形成された上部基板と；
前記第１電極及び第２電極間に充填され，複屈折率が０．１６０〜０．１８０である液晶層と；
を含むことを特徴とする，液晶表示装置。
【請求項２】
前記液晶層の誘電率異方性は，１２以上であることを特徴とする，請求項１に記載の液晶表示装置。
【請求項３】
前記液晶層のＫ１１は１４以下であって，Ｋ３３は１２〜１６であることを特徴とする，請求項１に記載の液晶表示装置。
【請求項４】
前記液晶層のプレチルト角は，４度〜１０度であることを特徴とする，請求項１に記載の液晶表示装置。
【請求項５】
前記液晶層の粘度は，０．２Ｐａ・ｓ以下であることを特徴とする，請求項１に記載の液晶表示装置。
【請求項６】
前記液晶層の誘電率異方性が１２以上，Ｋ１１が１４以下，Ｋ３３が１２〜１６，プレチルト角が４度〜１０度であることを特徴とする，請求項１に記載の液晶表示装置。
【請求項７】
第１電極が形成された下部基板と；
前記下部基板に対向して配置され，前記第１電極と相対する第２電極が形成された上部基板と； 
前記第１電極及び第２電極間に充填され，誘電率異方性が１２以上である液晶層と；
を含むことを特徴とする，液晶表示装置。
【請求項８】
第１電極が形成された下部基板と；
前記下部基板に対向して配置され，前記第１電極と相対する第２電極が形成された上部基板と；
前記第１電極及び第２電極間に充填され，Ｋ１１が１４以下，かつＫ３３が１２〜１６である液晶層と；
を含むことを特徴とする，液晶表示装置。
【請求項９】
第１電極が形成された下部基板と；
前記下部基板に対向して配置され，前記第１電極と相対する第２電極が形成された上部基板と；
前記第１電極及び第２電極間に充填され，プレチルト角が４度〜１０度である液晶層と；
を含むことを特徴とする，液晶表示装置。
【請求項１０】
前記液晶層は，ＯＣＢモードの液晶層であることを特徴とする，請求項１，７，８または９のいずれか一つに記載の液晶表示装置。
【請求項１１】
前記第１電極上に形成された第１配向膜と，前記第２電極上に形成された第２配向膜とをさらに含むことを特徴とする，請求項１，７，８または９のいずれか一つに記載の液晶表示装置。
【請求項１２】
前記第１配向膜と前記第２配向膜とは，同一の方向にラビングされていることを特徴とする，請求項１１に記載の液晶表示装置。
【請求項１３】
前記下部基板の前記第１電極が形成された面と反対側の面に配設される第１偏光板と，前記上部基板の前記第２電極が形成された面と反対側の面に配設される二軸補償板と第２偏光板とをさらに含むことを特徴とする，請求項１，７，８または９のいずれか一つに記載の液晶表示装置。
【請求項１４】
前記第１偏光板の前記下部基板側の面と反対側の面に配設されるバックライトユニットをさらに含むことを特徴とする，請求項１３に記載の液晶表示装置。
【発明の詳細な説明】
【技術分野】
【０００１】
本発明は液晶表示装置に係り，さらに詳細には，ＯＣＢモードの液晶表示装置に関する。
【背景技術】
【０００２】
最近に陰極線管（ｃａｔｈｏｄｅ  ｒａｙ  ｔｕｂｅ）のように重くて，大きさが大きいという従来の表示装置の短所を解決する，液晶表示装置（ｌｉｑｕｉｄ  ｃｒｙｓｔａｌ  ｄｉｓｐｌａｙ  ｄｅｖｉｃｅ）のような平板型表示装置（ｆｌａｔｐａｎｅｌ  ｄｉｓｐｌａｙ  ｄｅｖｉｃｅ）が注目を集めている。
【０００３】
上記の液晶表示装置は解像度が高く，多様なカラーの表現が可能であって，高画質の画像を得ることができ，消費電力が低電力という長所を持っているため，他の平板表示装置に比べて社会全般に幅広く利用されている。
【０００４】
上記の液晶表示装置は，液晶の配列の変化で生じる光の透過率の差を利用する表示装置であり，液晶表示装置の表示モードは，光の利用性質にしたがって偏光型，散乱型，吸収型及び反射型とに分けることができる。
【０００５】
この時，上記の偏光型の表示装置は，ＴＮ（Ｔｗｉｓｔｅｄ  Ｎｅｍａｔｉｃ）型液晶表示装置，強誘電性（ｆｅｒｒｏｅｌｅｃｔｒｉｃ）型液晶表示装置及びＥＣＢ（Ｅｌｅｃｔｒｉｃａｌ  Ｃｏｎｔｒｏｌｌｅｄ  Ｂｉｒｅｆｒｉｎｇｅｎｃｅ）型液晶表示装置に区分することができる。また，上記の散乱型の表示装置は，ＰＤＬＣ（Ｐｏｌｙｍｅｒ  Ｄｉｓｐｅｒｓｅｄ  Ｌｉｑｕｉｄ  Ｃｒｙｓｔａｌ）型液晶表示装置，ＤＳ（Ｄｙｎａｍｉｃ  Ｓｃａｔｔｅｒｉｎｇ）型液晶表示装置及びＰＳＣＴ（Ｐｏｌｙｍｅｒ  Ｓｔａｂｉｌｉｚｅｄ  Ｃｈｏｌｅｓｔｅｒｉｃ  Ｔｅｘｔｕｒｅ）型液晶表示装置に区分することができる。さらに，上記の吸収型の表示装置には，ＧＨ（Ｇｕｓｔ  Ｈｏｓｔ）型液晶表示装置がある。
【０００６】
この時，上記のＥＣＢ型液晶表示装置のうち，視野角及び応答速度を改善するためにＯＣＢ（Ｏｐｔｉｃａｌｌｙ  Ｃｏｍｐｅｎｓａｔｅｄ  Ｂｉｒｅｆｒｉｎｇｅｎｃｅ）モードの液晶表示装置が提案された。ＯＣＢモードの液晶表示装置は，スプレー（ｓｐｒａｙ）配列の液晶を，転移電圧を臨界電圧以上に印加することでベンド（ｂｅｎｄ）配列の液晶に転移させ，上記ベンド配列の状態で電圧をコントロールして複屈折率の降下を利用する液晶表示装置である。
【発明の開示】
【発明が解決しようとする課題】
【０００７】
しかしながら，上記ののＯＣＢモードの液晶表示装置は，液晶の複屈折率，誘電率異方性，Ｋ１１，Ｋ３３及び粘度等のような物性について最適化が行われておらず，転移電圧，信頼性及び駆動マージンなどに問題点があった。
【０００８】
ここで，上記のＫ１１およびＫ３３は，フランクの自由エネルギーを表す式中に現れるフランクの弾性定数である。
【０００９】
本発明は，このような問題に鑑みてなされたもので，その目的は，ＯＣＢモード液晶の転移電圧，信頼性及び駆動マージンなどが改善された，新規かつ改良された液晶表示装置を提供することにある。
【課題を解決するための手段】
【００１０】
上記課題を解決するために，本発明のある観点によれば，第１電極が形成された下部基板と，下部基板と対向して配置され，上記の第１電極と相対する第２電極が形成された上部基板と，第１電極及び第２電極間に充填され，複屈折率が０．１６０〜０．１８０である液晶層とを含む液晶表示装置が提供される。
【００１１】
上記の液晶層の誘電率異方性は，１２以上とすることができる。ここで，誘電率異方性とは，液晶分子の長軸方向の誘電率が，長軸に対して直交する方向の誘電率と異なることを数値化した値であって，液晶分子の長軸方向の誘電率と長軸方向に対して直交する方向の誘電率との比である。
【００１２】
また，上記の液晶層のＫ１１は１４以下であって，Ｋ３３は１２〜１６であるようにすることも可能である。
【００１３】
さらに，上記の液晶層のプレチルト角が，４度〜１０度であるようにすることもできる。
【００１４】
また，上記の液晶層の粘度を，０．２Ｐａ・ｓ以下とすることも可能である。
【００１５】
また，上記の液晶層の誘電率異方性が１２以上，Ｋ１１が１４以下，Ｋ３３が１２〜１６，かつ，プレチルト角が４〜１０度であるようにすることもできる。
【００１６】
上記課題を解決するために，本発明の別の観点によれば，第１電極が形成された下部基板と，下部基板と対向して配置され，上記の第１電極と相対する第２電極が形成された上部基板と，第１電極及び第２電極間に充填され，誘電率異方性が１２以上である液晶層を含む液晶表示装置が提供される。
【００１７】
上記課題を解決するために，本発明の更に別の観点によれば，第１電極が形成された下部基板と，下部基板に対向して配置され，上記の第１電極と相対する第２電極が形成された上部基板と，第１電極及び第２電極間に充填され，Ｋ１１が１４以下，かつＫ３３が１２〜１６である液晶層を含む液晶表示装置が提供される。
【００１８】
上記課題を解決するために，本発明の第４の観点によれば，第１電極が形成された下部基板と，下部基板に対向して配置され，上記の第１電極と相対する第２電極が形成された上部基板と，第１電極及び第２電極間に充填され，プレチルト角が４度〜１０度である液晶層を含む液晶表示装置が提供される。
【００１９】
また，上記の本発明の各観点に記載の液晶層は，ＯＣＢモードの液晶層であることも可能である。
【００２０】
また，上記の本発明の各観点に記載の液晶表示装置は，第１電極上に形成された第１配向膜と，第２電極上に形成された第２配向膜とをさらに含むことも可能である。
【００２１】
さらに，上記の第１配向膜と前記第２配向膜とを，同一の方向にラビングすることも可能である。
【００２２】
また，上記の本発明の各観点に記載の液晶表示装置について，下部基板第１電極が形成された面と反対側の面に配設される第１偏光板と，上部基板の第２電極が形成された面と反対側の面に配設される二軸補償板と第２偏光板とをさらに含むこともできる。
【００２３】
さらに，上記の液晶表示装置は，上記の第１偏光板の下部基板側の面と反対側の面に配設されるバックライトユニットをさらに含むことも可能である。
【発明の効果】
【００２４】
本発明によれば，液晶の複屈折率，誘電率異方性，Ｋ１１，Ｋ３３及び粘度の最適化により，転移電圧，信頼性及び駆動マージンが改善された液晶表示装置を提供することができる。
【発明を実施するための最良の形態】
【００２５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２６】
図１は，ＯＣＢ液晶モードを利用した液晶表示装置の一実施形態のうち，ＯＣＢ液晶モードを利用したＦＳ−ＬＣＤ（Ｆｉｅｌｄ  Ｓｅｑｕｅｎｔｉａｌ−Ｌｉｑｕｉｄ  Ｃｒｙｓｔａｌ  Ｄｉｓｐｌａｙ）の断面図である。図１を参照すると，ガラスまたはプラスチックのような材料で形成された下部基板１０１上に，第１電極１０２及び第１配向膜１０３が配設され，下部基板１０１に対向する上部基板１１１上に，第２電極１１２及び第２配向膜１１３が配設されている。この時，上記の第１配向膜１０３と第２配向膜１１３とは，同一な方向にラビング（ｒｕｂｂｉｎｇ）されている。
【００２７】
この時，下部基板１０１と上部基板１１１，正確には第１配向膜１０３と第２配向膜１１３間にＯＣＢモードの液晶１２１が充填されている。
【００２８】
そして，上記の下部基板１０１の下部に，光源装置であるバックライトユニット１３１が配設され，下部基板１０１方向に均一な光を供給するようになっている。この時，上記のバックライトユニット１３１は，一般的に光源，反射板，導光板，拡散板またはプリズム板などで構成され，上記の光源で発生する光を均一に供給する役割を果たす。
【００２９】
そして，上記の下部基板１０１とバックライトユニット１３１との間には，第１偏光板１４１が配設され，上記のバックライトユニット１３１から出た光を線偏光させ，下部基板１０１に供給する役割を果たす。
【００３０】
そして，上部基板１１１上には二軸補償板１４２が配設される。液晶分子の長軸方向と短軸方向との屈折率が異なる複屈折性を有するため，液晶表示装置を見る位置によって光が感じる屈折率に差が生じるようになり，この屈折率の差により位相差が生じる。二軸補償板１４２は，このような位相差を補償するために設けられる。
【００３１】
そして，上記の二軸補償板１４２の上部に，第２偏光板１４３の偏光軸が第１偏光板１４１の偏光軸に対して直交するように，第２偏光板１４３が設けられる。
【００３２】
図２Ａ〜図２Ｃは本発明の一実施形態に係る液晶の複屈折率（Δｎ）を示すグラフ図である。
【００３３】
図２Ａは複屈折率に対する転移電圧の関係を示しており，図２Ｂは複屈折率に対する液晶応答速度のうちＴｄの関係を示しており，図２Ｃは複屈折率に対する液晶応答速度のうちＴｒの関係を示している。
【００３４】
ここで，複屈折率は，液晶分子の長軸方向に振動する光と，長軸方向に対して直交する方向に振動する光の屈折率が相異なること，すなわち，屈折率異方性を数値化したものを意味する。したがって，このような複屈折率は，液晶を通過する光の偏光状態や偏光の振動方向が変化する程度を知ることができる値である。
【００３５】
この時，上記の転移電圧は，ＯＣＢモードの液晶をベンド相からスプレー相へ転移させるのに必要な電圧として定義される。また，輝度が１０％から９０％に到達する時までの上昇時間をＴｒ，輝度が９０％から１０％に到達する時までの下降時間をＴｄと定義すれば，上記の応答速度は，（Ｔｒ＋Ｔｄ）／２で定義される時間である。
【００３６】
ＯＣＢモードの液晶表示装置において，転移電圧は低いほど有利であるが，これは転移電圧が，スプレー相の液晶をベンド相に転移させるのに必要な電圧であるためである。図２Ａのグラフ図を参照すると，複屈折率の値が特定の領域において，転移電圧が低くなるということを見ることができるが，特に０．１５９〜０．１９０領域で転移電圧は１０Ｖ以下となっていることがわかる。
【００３７】
また，ＯＣＢモードの液晶表示装置において，応答速度が速いほど良質の映像を提供することができ，応答速度のうちＴｄは，液晶がダウン状態に変化するのにかかる時間を示す値である。図２Ｂを参照すると，複屈折率が０．１６０以上である時，Ｔｄが２．７ｍｓ以下となることがわかる。
【００３８】
ＯＣＢモードの液晶表示装置において，応答速度が速いほど良質の映像を提供することができ，応答速度のうちＴｒは，液晶がライジング状態に変化するのにかかる時間を示す値である。図２Ｃを参照すると，複屈折率が約０．１８０以下である時，低いＴｒ値，すなわち，１．２５ｍｓ以下となることがわかる。
【００３９】
したがって，図２Ａ〜図２Ｃを参照しながら説明したように，転移電圧及び応答速度（Ｔｄ及びＴｒ）の関係を考慮すると，複屈折率が０．１６０〜０．１８０の範囲を有することが最も望ましいことがわかる。
【００４０】
図３Ａ〜図３Ｄは本発明の一実施形態による液晶の誘電率異方性（Δε）を示すグラフ図である。
【００４１】
図３Ａは誘電率異方性に対するベンド相とスプレー相のギブス自由エネルギー（Ｇｉｂｂｓ  ｆｒｅｅ  ｅｎｅｒｇｙ）の差（Ｇｂ−Ｇｓ）の関係を，図３Ｂは誘電率異方性に対する転移電圧（ｃｒｉｔｉｃａｌ  ｖｏｌｔａｇｅ）との関係を，図３Ｃは誘電率異方性に対する臨界電圧との関係を，図３Ｄは誘電率異方性に対する応答速度のうちＴｒとの関係を示すグラフ図である。
【００４２】
この時，上記の誘電率異方性値は，液晶分子の長軸方向の誘電率（ｄｉｅｌｅｃｔｒｉｃ  ｃｏｎｓｔａｎｔ）が長軸に対して直交する方向の誘電率と異なることを数値化したものである。誘電率異方性値は，長軸方向の誘電率を長軸に対して直交する方向の誘電率で割った値として定義される。これにより，液晶層に加えられる電圧の強さによって液晶の反応する方向が変わり，光学的異方性により，透過される光量が調節される。また，臨界電圧は，ベンド相の液晶がスプレー相の液晶に変化しないようにする最小限の電圧を意味する。
【００４３】
図３Ａを参照すると，誘電率異方性が増加することによって，ベンド相のギブス自由エネルギーとスプレー相のギブス自由エネルギー差は連続的に減少する。すなわち，誘電率異方性が増加するほどベンド相がスプレー相に比べて安定化されることがわかる。
【００４４】
図３Ｂを参照すると，誘電率異方性が約１２以上である場合，転移電圧が約１０Ｖ以下に連続的に減少することを見ることができるが，これは誘電率異方性が１２以上である場合，ＯＣＢモードの液晶のスプレー相において，ベンド相への転移に必要な電圧が低くなることを示している。
【００４５】
図３Ｃを参照すると，誘電率異方性が１０．８以上である場合，臨界電圧が２Ｖ未満となることを見ることができるが，これはベンド相に転移された液晶が再びスプレー相に転移しないように維持する電圧を２Ｖ以上とすればいいことを意味する。すなわち，液晶表示装置を維持する電圧消耗が低いということを意味する。
【００４６】
図３Ｄを参照すると，誘電率異方性が約１１以上である場合，応答速度のうちＴｒが約１．２５ｍｓ以下に連続的に減少し，これは，誘電率異方性が１１以上である場合は，階調表示の速度が速くなることを示している。この時Ｔｒは，液晶の応答速度のうち，液晶のライジングタイムを数値化したデータであって，信号入力時，輝度が１０から９０％まで到達する時間を示す値である。Ｔｒが低くなるほど階調表示は容易になるが，無制限に低くすることはできない。人の目が輝度の変化を認知することに関しては個人差があるが，一般的にＴｒが１．２５ｍｓ以下である場合には，人の目は輝度の変化をほとんど認識できなくなる。
【００４７】
したがって，図３Ａ〜図３Ｄより，液晶分子の長軸方向の誘電率と長軸に対して直交する方向の誘電率が相異なることを示す誘電率異方性が１２以上を維持する場合，ベンド相とスプレー相のギブス自由エネルギー差，転移電圧，臨界電圧及び応答速度において，液晶は優秀な特性を示すようになる。
【００４８】
図４Ａ及び図４Ｂは本発明の一実施形態による液晶のＫ１１及びＫ３３を示すグラフ図である。
【００４９】
この時，図４ＡはＫ１１及びＫ３３に対する転移電圧の関係を，図４ＢはＫ１１及びＫ３３に対する応答速度のうちＴｒの関係を示す。
【００５０】
この時，Ｋ１１はスプレー相の弾性係数を示しており，Ｋ３３はベンド相の弾性係数を示す。それぞれの弾性係数が高いということは，各相を維持する傾向が強いということを意味する。
【００５１】
図４Ａを参照すると，ＯＣＢモード液晶のＫ１１値が約１４以下までは約１１Ｖ以下の転移電圧を有しているが，１４を超えると転移電圧が急激に増加することがわかる。また，ＯＣＢモード液晶のＫ３３値が約１２〜１６の値を有する時には，転移電圧が約１１Ｖ以下の値を有するが，上記の範囲を外れるようになると，転移電圧が急激に増加することがわかる。したがって，転移電圧に関しては，Ｋ１１値は１４以下の値を有し，Ｋ３３値は１２〜１６の値を有することが望ましい。
【００５２】
図４Ｂを参照すると，ＯＣＢモード液晶のＫ１１値が約１４以下まではＴｒが約１．２ｍｓ以下だが，１４を超えるとＴｒ時間が急激に増加するようになることがわかる。この現象は，液晶の応答速度を遅くし，液晶表示装置の階調特性を悪くする。また，ＯＣＢモード液晶のＫ３３値が約１２〜１６の値を有する時にはＴｒが約１．２５ｍｓ以下だが，上記の範囲外の領域ではＴｒ時間が急激に増加することがわかる。この現象も，液晶の応答速度を遅くする。
【００５３】
したがって，図４Ａ及び図４Ｂから，転移電圧及び液晶の応答速度のうちＴｒを考慮する時，Ｋ１１値が１４以下であることが望ましく，Ｋ３３値は１２〜１６であることが望ましい。
【００５４】
図５Ａ〜図５Ｃは本発明の一実施形態による液晶のプレチルト角を示すグラフ図である。
【００５５】
この時，図５Ａはプレチルト角に対する臨界電圧及びベンド相とスプレー相のギブスエネルギー差の関係を，図５Ｂはプレチルト角に対する転移電圧の関係を，図５Ｃはプレチルト角に対する応答速度のＴｒの関係を示している。
【００５６】
ここで，上記のプレチルト角（ｐｒｅｔｉｌｔａｎｇｌｅ）は，液晶表示装置において，配向膜の特性により，液晶の配向が電極に対してとる一定の角度を意味する。
【００５７】
図５Ａを参照すると，ＯＣＢモード液晶のプレチルト角が大きくなるほど，ベンド相とスプレー相のギブス自由エネルギー差が小さくなり，臨界電圧が小さくなることがわかる。これは，プレチルト角が大きくなるほど，ベンド相を維持する臨界電圧は小さくなることを意味している。
【００５８】
図５Ｂを参照すると，ＯＣＢモード液晶のプレチルト角が４度から８度に増加することによって，液晶をスプレー相からベンド相へ転移させるのに必要な電圧である転移電圧が，１１．５Ｖから８．５Ｖに低くなることがわかる。
【００５９】
図５Ｃを参照すると，ＯＣＢモード液晶のプレチルト角が４度から８度に増加するによって，液晶表示装置の応答速度のうちＴｒが一層減少することがわかる。これはプレチルト角が大きくなるほど，液晶表示装置の応答速度は速くなるということを意味する。
【００６０】
したがって，図５Ａより，プレチルト角が大きくなるほど臨界電圧及び転移電圧は低くなって，応答速度は高くなることがわかる。また，図５Ｂ〜図５Ｃではプレチルト角が８度までの場合のみを示して，それ以上の場合を表示していないが，各グラフの傾向を類推すれば，プレチルト角が増加するほど，転移電圧及びＴｒは減少する傾向を示すことは，容易に類推することができる。上記のような結果から，プレチルト角が大きいほど，本発明の一実施形態に係る液晶表示装置の特性は優秀になることは明らかである。しかし，現在の工程水準及び材料の安定性などの側面，および工程的な側面（全体面積に均一に配向する工程）では１０度以上のプレチルト角を有する配向膜を形成することが難しい点などのため，プレチルト角は１０度以下にすることが望ましい。したがって，上記のプレチルト角は４以上１０度以下であることが望ましい。
【００６１】
また，上記の液晶の粘度は０．２Ｐａ・ｓ以下を維持することが望ましい。これは液晶の粘度が０．２Ｐａ・ｓ以上である場合には，応答速度が１０ｍｓ以上となり，応答速度が遅くなるが，０．２Ｐａ・ｓ以下である場合には，応答速度が７ｍｓ以下を維持し，速い応答速度を得ることができるためである。なお，これらの液晶の粘度は，２５℃で測定した値である。
【００６２】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６３】
本発明は，ＯＣＢ方式を利用した液晶表示装置に適用可能である。
【図面の簡単な説明】
【００６４】
【図１】ＯＣＢ液晶モードを利用したＦＳ−ＬＣＤの断面図である。
【図２Ａ】本発明の一実施形態に係る液晶の複屈折率を示すグラフ図である。
【図２Ｂ】本発明の一実施形態に係る液晶の複屈折率を示すグラフ図である。
【図２Ｃ】本発明の一実施形態に係る液晶の複屈折率を示すグラフ図である。
【図３Ａ】本発明の一実施形態に係る液晶の誘電率異方性を示すグラフ図である。
【図３Ｂ】本発明の一実施形態に係る液晶の誘電率異方性を示すグラフ図である。
【図３Ｃ】本発明の一実施形態に係る液晶の誘電率異方性を示すグラフ図である。
【図３Ｄ】本発明の一実施形態に係る液晶の誘電率異方性を示すグラフ図である。
【図４Ａ】本発明の一実施形態に係る液晶のＫ１１及びＫ３３を示すグラフ図である。
【図４Ｂ】本発明の一実施形態に係る液晶のＫ１１及びＫ３３を示すグラフ図である。
【図５Ａ】本発明の一実施形態に係る液晶のプレチルト角を示すグラフ図である。
【図５Ｂ】本発明の一実施形態に係る液晶のプレチルト角を示すグラフ図である。
【図５Ｃ】本発明の一実施形態に係る液晶のプレチルト角を示すグラフ図である。
【符号の説明】
【００６５】
１０１      下部基板
１０２      第１電極
１０３      第１配向膜
１１１      上部基板
１１２      第２電極
１１３      第２配向膜
１２１      液晶
１３１      バックライトユニット
１４１      第１偏光板
１４２      二軸補償板
１４３      第２偏光板
【図１】
2006309137.tif 000003
【図２Ａ】
2006309137.tif 000004
【図２Ｂ】
2006309137.tif 000005
【図２Ｃ】
2006309137.tif 000006
【図３Ａ】
2006309137.tif 000007
【図３Ｂ】
2006309137.tif 000008
【図３Ｃ】
2006309137.tif 000009
【図３Ｄ】
2006309137.tif 000010
【図４Ａ】
2006309137.tif 000011
【図４Ｂ】
2006309137.tif 000012
【図５Ａ】
2006309137.tif 000013
【図５Ｂ】
2006309137.tif 000014
【図５Ｃ】
2006309137.tif 000015